(57)【要約】【課題】バヨネット式レンズマウントの交換レンズを、ガタつきを抑えて撮像装置に取り付け可能であり、かつ、撮像装置本体に対して確実に適切な位置に装着させることができるレンズマウントを提供すること。【解決手段】撮像装置本体に設けられるレンズマウントであって、第１のねじ部を有し、撮像装置本体に固定可能な保持部に固定される固定マウント部と、光軸を中心として第１のねじ部と螺合する第２のねじ部を有する可動マウント部と一体で回動可能な操作部と、固定マウント部に形成された孔部を挿通し、光軸方向に移動可能な突出部を有するロック部材と、ロック部材に当接することで、突出部を固定マウント部から突出するように付勢する弾性部材と、を有し、第１の状態において、突出部は固定マウント部から突出し、ロック部材は操作部の回動を規制し、第２の状態において、突出部が押し込まれることで、ロック部材による操作部の回動の規制が解除される。【選択図】図７
2015060076.tif 000002
【特許請求の範囲】
【請求項１】
バヨネット爪部を備える交換レンズを撮像装置本体から着脱可能とするために前記撮像装置本体に設けられるレンズマウントであって、
前記撮像装置本体に固定可能な保持部と、
第１のねじ部を有し、前記保持部に保持される固定マウント部と、
前記第１のねじ部と螺合する第２のねじ部を有する可動マウント部と、
光軸を中心として前記可動マウント部と一体で回動可能な操作部と、
前記固定マウント部に形成された孔部を挿通し、光軸方向に移動可能な突出部を有するロック部材と、
前記ロック部材に当接することで、前記突出部を前記固定マウント部から突出するように付勢する弾性部材と、を有し、
第１の状態において、前記突出部は前記固定マウント部から突出し、前記ロック部材は前記操作部の回動を規制し、
第２の状態において、前記突出部が押し込まれることで、前記ロック部材による前記操作部の回動の規制が解除されることを特徴とするレンズマウント。
【請求項２】
前記第１の状態は、前記交換レンズが前記レンズマウントに取り付けられていないときであり、
前記第２の状態は、前記交換レンズを前記レンズマウントに取り付けるときであることを特徴とする請求項１に記載のレンズマウント。
【請求項３】
前記操作部は、前記第１の状態において、前記ロック部材と当接する規制部を有することを特徴とする請求項１または２に記載のレンズマウント。
【請求項４】
前記可動マウント部には、前記交換レンズの前記バヨネット爪部と係合する爪部が形成されており、
前記第２の状態において、前記バヨネット爪部と前記爪部とが光軸投影上で重なっていないことを特徴とする請求項１から３のいずれか１項に記載のレンズマウント。
【請求項５】
前記第２の状態において、前記操作部を回動させて前記可動マウント部を光軸を中心として回転させることにより、前記第１のねじ部と前記第２のねじ部との螺合にしたがって前記可動マウント部が光軸方向に沿って前記保持部に向かって移動し、前記爪部が前記バヨネット爪部に当接することを特徴とする請求項１から４のいずれか１項に記載のレンズマウント。
【請求項６】
請求項１から５のいずれか１項に記載のレンズマウントを有することを特徴とする撮像装置。
【請求項７】
請求項６に記載の記載の撮像装置と、
前記撮像装置に着脱可能な交換レンズと、を有することを特徴とするカメラシステム。
【請求項８】
前記交換レンズは、前記第２の状態において、前記固定マウント部から突出した前記突出部と係合する凹部を有することを特徴とする請求項７に記載のカメラシステム。
【発明の詳細な説明】
【技術分野】
【０００１】
本発明は、レンズ交換方式の撮像装置のレンズマウントに関する。
【背景技術】
【０００２】
近年、レンズ交換方式の撮像装置は市場において増加し続けており、レンズ交換方式の一つであるバヨネット式レンズマウントを採用した撮像装置本体およびレンズも数多く市場に出回っている。しかし、バヨネット式レンズマウントではバネ部材の付勢力により交換レンズを保持しているため、バネ部材のたわみ分だけ交換レンズがガタつく、という問題があった。
【０００３】
特許文献１では、従来のバヨネット式レンズマウントの交換レンズを、レンズのガタつきを抑えて撮像装置に取り付けることが可能な新しい構造を提案している。
【先行技術文献】
【特許文献】
【０００４】
【特許文献１】特願２００２−０８９３０６号
【発明の概要】
【発明が解決しようとする課題】
【０００５】
特許文献１では、交換レンズが撮像装置本体に対して適切な位置に装着されていなくてもレンズ固定用の腕部を回動させることができる。このため、不完全な交換レンズの装着状態が原因で交換レンズが落下してしまったり、撮像装置本体と交換レンズとの位置ずれによる電気接点の接続不良が起こる、といった問題点があった。
【０００６】
このような課題を鑑みて、本発明は、バヨネット式レンズマウントの交換レンズを、ガタつきを抑えて撮像装置に取り付け可能であり、かつ、撮像装置本体に対して確実に適切な位置に装着させることができるレンズマウントを提供することを目的とする。
【課題を解決するための手段】
【０００７】
本発明の一側面としてのレンズマウントは、バヨネット爪部を備える交換レンズを撮像装置本体から着脱可能とするために前記撮像装置本体に設けられるレンズマウントであって、前記撮像装置本体に固定可能な保持部と、第１のねじ部を有し、前記保持部に固定される固定マウント部と、前記第１のねじ部と螺合する第２のねじ部を有する可動マウント部と、光軸を中心として前記可動マウント部と一体で回動可能な操作部と、前記固定マウント部に形成された孔部を挿通し、光軸方向に移動可能な突出部を有するロック部材と、前記ロック部材に当接することで、前記突出部を前記固定マウント部から突出するように付勢する弾性部材と、を有し、第１の状態において、前記突出部は前記固定マウント部から突出し、前記ロック部材は前記操作部の回動を規制し、第２の状態において、前記突出部が押し込まれることで、前記ロック部材による前記操作部の回動の規制が解除されることを特徴とする。
【発明の効果】
【０００８】
本発明によれば、バヨネット式レンズマウントの交換レンズを、ガタつきを抑えて撮像装置に取り付け可能であり、かつ、撮像装置本体に対して確実に適切な位置に装着させることができるレンズマウントを提供することができる。
【図面の簡単な説明】
【０００９】
【図１】本発明の実施形態に係るレンズマウントを備える撮像装置本体に交換レンズを取り付けてなるカメラシステムの外観斜視図である。
【図２】実施例１のレンズマウントの要部の分解斜視図である。
【図３】実施例１における組み立て後のレンズマウントの要部の斜視図である。
【図４】実施例１のレンズマウントに取り付けられる交換レンズの外観斜視図である。
【図５】実施例１のレンズマウントに交換レンズを装着するまでの各状態を示す正面図および断面拡大図である。
【図６】実施例１のレンズマウントの分解斜視図である。
【図７】実施例１のロック機構の説明図である。
【図８】実施例２のレンズマウントの外観斜視図である。
【図９】実施例２のレンズマウントに取り付けられる交換レンズの外観斜視図である。
【図１０】図８の状態から交換レンズを装着した状態を示す斜視図および断面拡大図である。
【発明を実施するための形態】
【００１０】
以下、本発明の実施例について、図面を参照しながら詳細に説明する。各図において、同一の部材については同一の参照番号を付し、重複する説明は省略する。
【００１１】
図１は、本発明の実施形態に係るレンズマウントを備える撮像装置本体１に交換レンズ３を取り付けてなるカメラシステムの外観斜視図である。
【実施例１】
【００１２】
図２は、本発明の実施例１に係るレンズマウント１０の要部の分解斜視図である。図２（ａ）は図中Ｚ１方向側、図２（ｂ）は図中Ｚ２方向側からレンズマウント１０を見た図である。なお、Ｚ１−Ｚ２軸は光軸であり、Ｚ１方向側を被写体側、Ｚ２方向側を撮影者側とする。
【００１３】
図３は、組み立て後のレンズマウント１０の要部の斜視図である。図３（ａ）は図中Ｚ１方向側、図３（ｂ）は図中Ｚ２方向側からレンズマウント１０を見た図である。図３（ｃ）は、図３（ｂ）に示される状態からレバー１２０を移動させた後の図である。
【００１４】
レンズマウント１０は、撮像装置本体１に取り付けられ、交換レンズ３を撮像装置本体１から着脱可能とする。レンズマウント１０は、固定マウント部１００、可動マウント部１１０、レバー（操作部）１２０、レバーホルダー１３０、外カバー１４０およびロック部材１５０を備えている。
【００１５】
固定マウント部１００には、交換レンズ３を取り付けた際に、交換レンズ３と突き当たって、光軸方向の位置を決めるためのマウント面１０１と、位置決めのための凸形状１０２と、ロック部材１５０に対する突き当て面１０３が形成されている。
【００１６】
可動マウント部１１０には、バヨネット爪部１１１ａ〜１１１ｃが形成されている。バヨネット爪部１１１ａ〜１１１ｃは、交換レンズ３側のバヨネット爪部と嵌合し、交換レンズ３を固定する。
【００１７】
固定マウント部１００および可動マウント部１１０には、それぞれ側面に反時計回り方向のネジが切られた雌ねじ部（第１のねじ部）１０４、雄ねじ部（第２のねじ部）１１２が形成されており、両者が螺合されるようになっている。
【００１８】
固定マウント部１００と可動マウント部１１０が螺合された状態において、レバーホルダー１３０に形成された貫通穴１３１ａ、１３１ｂを挿通したビス１３２ａ、１３２ｂが可動マウント部１１０に形成されたタップ１１３ａ、１１３ｂに締結される。すなわち、レバーホルダー１３０は、可動マウント部１１０に取り付けられる。
【００１９】
ビス１２２ａ、１２２ｂは、レバー１２０に形成された貫通穴１２３ａ、１２３ｂと、外カバー１４０に形成された貫通穴１４１ａ、１４１ｂを挿通し、レバーホルダー１３０に形成されたタップ１３３ａ、１３３ｂに締結される。すなわち、レバー１２０は、外カバー１４０の取り付け面１４２を挟み込むようにして、レバーホルダー１３０に取り付けられる。
【００２０】
以上、説明したように、可動マウント部１１０、レバー１２０、レバーホルダー１３０および外カバー１４０は、固定マウント部１００を挟むようにして、一体化される。
【００２１】
ロック部材１５０は、フランジ部１５１にピン部（突出部）１５２がかしめ等によって連結された構成になっている。ロック部材１５０は、固定マウント部１００に形成されたピン貫通穴（孔部）１０５に対して、ピン部１５２が係合するように挿入されて組み付けられる。
【００２２】
固定マウント部１００、可動マウント部１１０および外カバー１４０には、それぞれ開口部１０６、１１４、１４３が形成されている。図２の組み立て状態において、バヨネット爪部１１１ａ〜１１１ｃは、開口部１０６、１１４の内側に露出するようになっている。
【００２３】
レバー１２０には、ロック部（規制部）１２１が設けられている。ロック部１２１は、後述する条件において、レバー１２０の動作を規制する。レバー１２０は、光軸を中心として、図２中のα、β方向に回動可能である。レバー１２０の回転に伴い、一体化された可動マウント部１１０、レバーホルダー１３０および外カバー１４０も一緒に回転する。さらに、固定マウント部１００と可動マウント部１１０は螺合されているため、回転運動に伴い、可動マウント部１１０、レバー１２０、レバーホルダー１３０および外カバー１４０が光軸に沿ってねじ送り量分だけ移動する。例えば、レバー１２０をα方向に回転させたとき、レバー１２０（および可動マウント部１１０、レバーホルダー１３０、外カバー１４０）はＺ２方向に移動する。レバー１２０をβ方向に回転させたとき、レバー１２０（および可動マウント部１１０、レバーホルダー１３０、外カバー１４０）はＺ１方向に移動する。固定マウント部１００には、メカストッパ部１０７ａ、１０７ｂが設けられており、レバー１２０がβ方向へ一定量以上回転した場合、図３（ｂ）に示されるように、レバーホルダー１３０がメカストッパ部１０７ａに突き当たる。逆に、α方向への回転に対しては、図３（ｃ）に示されるように、レバーホルダー１３０がメカストッパ部１０７ｂに突き当たることによって、レバー１２０の回転範囲およびＺ１、Ｚ２方向への移動範囲を規制している。
【００２４】
図４は、レンズマウント１０に取り付けられる交換レンズ３の外観斜視図である。
【００２５】
交換レンズ３は、鏡筒部３０１、レンズ部３０２、レンズマウント部３０３、およびレンズ接点部３０４を備えている。交換レンズ３は、レンズマウント部３０３によって、レンズマウント１０に取り付けられる。
【００２６】
レンズマウント部３０３には、レンズバヨネット爪部３０５ａ〜３０５ｃと、レンズマウント１０への取り付け時に光軸方向の付き当て面となるリブ３０６と、位置決めに使用される凹形状３０７が設けられている。
【００２７】
レンズバヨネット爪部３０５ａ〜３０５ｃがレンズマウント１０のバヨネット爪部１１１ａ〜１１１ｃと嵌合することで交換レンズ３が固定される。
【００２８】
レンズ接点部３０４は、撮像装置本体１と導通し、撮像装置本体１に対してレンズ情報を通信する。
【００２９】
次に、交換レンズ３の固定方法に関して図５を用いて詳細に説明する。
【００３０】
図５は、レンズマウント１０に交換レンズ３を装着するまでの各状態を示す正面図および断面拡大図である。ただし、説明のため、図５（ａ）〜図５（ｃ）の交換レンズ３では、断面拡大図を除いて、レンズバヨネット爪部３０５ａ〜３０５ｃのみを表示している。
【００３１】
図５（ａ）は、レンズバヨネット爪部３０５ａ〜３０５ｃを、開口部１１４、１４３に挿通させ、交換レンズ３のリブ３０６をレンズマウント１０のマウント面１０１に当接させた状態である。このとき、交換レンズ３の凹形状３０７が固定マウント部１００の凸形状１０２と係合することでレンズマウント１０と交換レンズ３の位置が決められる。
【００３２】
レバー１２０は、最もβ方向側、すなわちレバーホルダー１３０がメカストッパ部１０７ａに突き当たった状態（図３（ｂ）の状態）となっている。このときのレバー１２０の位置を初期位置とする。すなわち、初期状態では、可動マウント部１１０に形成されたバヨネット爪部１１１ａ〜１１１ｃとレンズバヨネット爪部３０５ａ〜３０５ｃとが光軸投影上に重なっていない。
【００３３】
上述したように、固定マウント部１００と交換レンズ３との取り付け可能な位置は、固定マウント部１００の凸形状１０２と交換レンズ３の凹形状３０７との係合によって決まる。レバー１２０の位置が初期位置でないと、レンズマウント１０側のバヨネット爪部１１１ａ〜１１１ｃが、図５（ａ）の状態よりもレバー移動分だけα方向に回転してしまう。そのため、レンズバヨネット爪部３０５ａ〜３０５ｃがレンズマウント１０のバヨネット爪部１１１ａ〜１１９ｃと当たってしまい、レンズバヨネット爪部３０５ａ〜３０５ｃを奥まで押し込むことができない。したがって、交換レンズ３をレンズマウント１０に取り付ける際には、レバー１２０の位置が初期位置である必要がある。
【００３４】
図５（ｂ）は、図５（ａ）の状態からレバー１２０をα方向に一定量回転させた状態である。このとき、可動マウント部１１０に形成されたバヨネット爪部１１１ａ〜１１１ｃも同角度分回転し、レンズバヨネット爪部３０５ａ〜３０５ｃと一部オーバーラップしている。また、雌ねじ部１０４と雄ねじ部１１２とが螺合しているため、可動マウント部１１０は、レバー１２０がα方向に回転した角度に応じたネジ送り量だけＺ２方向に移動する。このとき、図５（ｂ）に示されるように、前述のオーバーラップした部分、すなわちバヨネット爪部１１１ａのＺ２方向側の面とレンズバヨネット爪部３０５ａが当接しておらず交換レンズ３は固定されていない。なお、バヨネット爪部１１１ｂとレンズバヨネット爪部３０５ｂ、バヨネット爪部１１１ｃとレンズバヨネット爪部３０５ｃも同様の関係である。
【００３５】
図５（ｃ）は、図５（ｂ）の状態からさらにレバー１２０をα方向に回転させ、バヨネット爪部１１１ａのＺ２方向側の面とレンズバヨネット爪部３０５ａを当接させた状態である。このとき、図示しないバヨネット爪部１１１ｂのＺ２側の面とレンズバヨネット爪部３０５ｂ、バヨネット爪部１１１ｃのＺ２側の面とレンズバヨネット爪部３０５ｃも同様に当接する。雌ねじ部１０４と雄ねじ部１１２との螺合、バヨネット爪部１１１ａ〜１１１ｃとレンズバヨネット爪部３０５ａ〜３０５ｃとの当接により、交換レンズ３はレンズマウント１０に対してガタなく取り付けられた状態となる。
【００３６】
次に、レバー１２０に対するロック機構について図６、図７を用いて説明する。
【００３７】
図６はレンズマウント１０の分解斜視図、図７はロック機構の説明図である。図７（ａ）はレンズマウント１０に交換レンズ３を取り付け前の状態、図７（ｂ）はレンズマウント１０に交換レンズを取り付け後の状態を示している。
【００３８】
保持部１６０は、撮像装置本体１に固定可能であり、バネ接地面１６１と、本体接点部１６２が設けられている。本体接点部１６２は、交換レンズ３の取り付け時にレンズ接点部３０４と接触して導通し、レンズ情報の通信を行う。
【００３９】
ねじりコイルバネ（弾性部材）１６３の片側はバネ接地面１６１に当接し、逆側はフランジ部１５１に当接してピン部１５２をＺ１方向に付勢する。交換レンズ３が取り付けられていない状態においては、図６（ａ）に示されるように、フランジ部１５１はＺ１方向に付勢されて固定マウント部１００の突き当て面１０３に突き当たった状態であり、ピン部１５２はマウント面１０１より大きく突出している。また、フランジ部１５１がレバー１２０のロック部１２１と当接してロックされた状態となり、レバー１２０のα方向への移動を規制している。
【００４０】
交換レンズ３が取り付けられると、図６（ｂ）に示されるように、交換レンズ３によりピン部１５２が押され、連結されたフランジ部１５１がその分押し下げられる。このとき、レバー１２０のロック部１２１とフランジ部１５１は当接していないため、ロックが解除された状態となり、レバー１２０はα方向へ移動可能となる。
【００４１】
このような構成とすることで、交換レンズ３がレンズマウント１０に確実に挿入された状態でないとレバー１２０を回転させることができない。そのため、不完全な交換レンズ３の装着状態が原因でのレンズ落下や、撮像装置本体１と交換レンズ３との位置ずれによる電気接点の接続不良といった問題点を回避することができる。
【００４２】
すなわち、バヨネット式レンズマウントの交換レンズを、ガタつきを抑えて撮像装置に取り付け可能であり、かつ、撮像装置本体に対して確実に適切な位置に装着させることができる。
【実施例２】
【００４３】
本実施例では実施例１と比較して、ロック部材１５０に設けられたピン部２０１の突出量が増えているとともに、実施例１で固定マウント部１００が有していた凸形状１０２がなくなっている。なお、実施例１で説明した要素と同じ要素については、実施例１と同符号を付して説明に代える。
【００４４】
図８はレンズマウント２０の外観斜視図であり、図９はレンズマウント２０に取り付けられる交換レンズ７の外観斜視図である。図１０は、図８の状態から交換レンズ７を装着した状態を示す斜視図および断面拡大図である。
【００４５】
交換レンズ７の凹形状（凹部）７０１は、レンズマウント２０に交換レンズ７を取り付けた際に、ピン部２０１と係合する位置に設けられている。ピン部２０１と凹形状７０１が係合して、レンズマウント２０に対する交換レンズ７の位置が決まるとともに、凹形状７０１によってピン部２０１の先端が押され、フランジ部１５１とロック部１２１が当接しなくなってロックが解除されている。
【００４６】
以上より、実施例２では、実施例１の固定マウント部１００の凸形状１０２の役割をピン部２０１が兼ねるため、実施例１と比較してコストを削減でき、かつ、構造的な自由度を上げることができる。そのため、実施例２は、より効果的に本発明を実施することが可能となる。
【００４７】
以上、本発明の好ましい実施形態について説明したが、本発明はこれらの実施形態に限定されず、その要旨の範囲内で種々の変形及び変更が可能である。
【符号の説明】
【００４８】
１        レンズマウント
１００    固定マウント部
１０４    雌ねじ部（第１のねじ部）
１０５    ピン貫通穴（孔部）
１１０    可動マウント部
１１２    雄ねじ部（第２のねじ部）
１２０    レバー（操作部）
１１７    ピン部（突出部）
１５０    ロック部材
１６０    保持部
１６３    ねじりコイルバネ（弾性部材）
【図１】
2015060076.tif 000003
【図２】
2015060076.tif 000004
【図３】
2015060076.tif 000005
【図４】
2015060076.tif 000006
【図５】
2015060076.tif 000007
【図６】
2015060076.tif 000008
【図７】
2015060076.tif 000009
【図８】
2015060076.tif 000010
【図９】
2015060076.tif 000011
【図１０】
2015060076.tif 000012